(57)【要約】      （修正有）【課題】取り扱いを簡便にかつ環境に影響を与えにくい材料で構成された食品用容器を提供する。【解決手段】上面が開口した開口部１０６を有し、植物由来の非木材紙によって形成された容器本体１００と、前記容器本体の開口部に被蓋される蓋体２００であって、植物由来の非木材紙によって形成され、貫通孔２２０と、前記貫通孔を覆う透明フィルム４００と、を有する蓋体と、を備える。【選択図】図２
0003232863.tif 000002
【実用新案登録請求の範囲】
【請求項１】
上面が開口した開口部を有し、植物由来の非木材紙によって形成された容器本体と、
前記容器本体の開口部に被蓋される蓋体であって、植物由来の非木材紙によって形成され、貫通孔と、前記貫通孔を覆う透明フィルムと、を有する蓋体と、を備える食品用容器。
【請求項２】
前記容器本体と前記蓋体とを一体に接続するヒンジ部を、更に備える、請求項１に記載の食品用容器。
【請求項３】
前記蓋体は、前記容器本体と別体に形成され、前記容器本体から離脱可能である、請求項１に記載の食品用容器。
【請求項４】
前記透明フィルムは、ポリ乳酸系フィルムからなる、請求項１ないし３に記載の食品用容器。
【請求項５】
前記蓋体は、前記容器本体と向かい合う内側面を有し、
前記透明フィルムは、前記内側面の少なくとも一部を被覆する、請求項１ないし４に記載の食品用容器。
【請求項６】
前記容器本体は、前記蓋体と向かい合う内側面を有し、
前記透明フィルムは、前記内側面の少なくとも一部を被覆する、請求項１ないし５に記載の食品用容器。
【請求項７】
前記容器本体及び前記蓋体は、植物由来の非木材の流動性原料を型内に流し込み、プレス成形して形成された、請求項１ないし６に記載の食品用容器。
【考案の詳細な説明】
【技術分野】
【０００１】
本考案は、フィルムを有する食品用容器に関する。
【背景技術】
【０００２】
ポリエチレンなどの様々なプラスチック容器や、収納した食品の内容や量などを視認可能にするためのプラスチックフィルムを用いた食品用容器が知られている。
【先行技術文献】
【特許文献】
【０００３】
【特許文献１】公開実用新案公報昭６０−７５２５０号公報
【考案の概要】
【考案が解決しようとする課題】
【０００４】
上述したように、従来の食品用容器は、ポリエチレンなどの様々なプラスチックが用いされていた。このため、食品用容器を廃棄する際に、他のごみと分別する必要がある地域もあり、取り扱いが煩雑にならざるを得なかった。
【０００５】
本考案は、上述の点に鑑みてなされたものであり、その目的とするところは、取り扱いを簡便にかつ環境に影響を与えにくい材料で構成された食品用容器を提供することにある。
【課題を解決するための手段】
【０００６】
本考案による食品用容器の特徴は、
上面が開口した開口部を有し、植物由来の非木材紙によって形成された容器本体と、
前記容器本体の開口部に被蓋される蓋体であって、植物由来の非木材紙によって形成され、貫通孔と、前記貫通孔を覆う透明フィルムと、を有する蓋体と、を備えることである。
【考案の効果】
【０００７】
取り扱いを簡便にかつ環境に影響を与えにくい材料で構成された食品用容器を提供することができる。
【図面の簡単な説明】
【０００８】
【図１】本実施の形態による食品用容器を示す斜視図である。
【図２】本実施の形態による食品用容器を示す斜視図である。
【図３】本実施の形態による食品用容器を示す斜視図である。
【図４】本実施の形態による食品用容器を開いた状態を示す平面図である。
【考案を実施するための形態】
【０００９】
＜＜＜＜本実施の形態の概要＞＞＞＞
＜＜第１の実施の態様＞＞
第１の実施の態様によれば、
上面が開口した開口部を有し、植物由来の非木材紙によって形成された容器本体と、
前記容器本体の開口部に被蓋される蓋体であって、植物由来の非木材紙によって形成され、貫通孔と、前記貫通孔を覆う透明フィルムと、を有する蓋体と、を備える食品用容器が提供される。
【００１０】
第１の実施の態様による食品用容器は、容器本体と蓋体とを備える。
【００１１】
容器本体は、上面が開口した開口部を有する。容器本体は、植物由来の非木材紙によって形成されている。容器本体は、食品を収納するための容器である。
【００１２】
蓋体は、容器本体の開口部に被蓋可能である。蓋体は、容器本体の開口部を覆うことができる。蓋体は、植物由来の非木材紙によって形成されている。蓋体は、貫通孔と透明フィルムとを有する。透明フィルムは、貫通孔を覆う。
【００１３】
第１の実施の態様において、容器本体及び蓋体は、植物由来の非木材紙によって形成されている。このため、燃えるごみとして廃棄することができ、取り扱いを簡便にかつ環境に影響を与えにくい材料で構成された食品用容器を提供することができる。
【００１４】
＜＜第２の実施の態様＞＞
第２の実施の態様は、第１の実施の態様において、
前記容器本体と前記蓋体とを一体に接続するヒンジ部を、更に備える。
【００１５】
容器本体と蓋体とが一体に接続されているので、使用時に蓋を置く場所を探したり、蓋をなくしたり、蓋を風で飛ばされたりすることを防止でき、取り扱いを簡便にすることができる。
【００１６】
＜＜第３の実施の態様＞＞
第３の実施の態様は、第１の実施の態様において、
前記蓋体は、前記容器本体と別体に形成され、前記容器本体から離脱可能である。
【００１７】
蓋体が容器本体と別体に形成されているので、容器本体のみが必要な場合や、蓋のみが必要な場合に応じて別個に製造することができる。また、使用時には、蓋に妨げられることなく、容器本体から食品を出すことができ、円滑に食事を進めることができる。
【００１８】
＜＜第４の実施の態様＞＞
第４の実施の態様は、第１ないし３の実施の態様において、
前記透明フィルムは、ポリ乳酸系フィルムからなる。
【００１９】
透明フィルムは、ポリ乳酸系フィルムからなるので、微生物などにより二酸化炭素と水に分解でき、廃棄した場合に環境に影響を与えにくくすることができる。
【００２０】
＜＜第５の実施の態様＞＞
第５の実施の態様は、第１ないし４の実施の態様において、
前記蓋体は、前記容器本体と向かい合う内側面を有し、
前記透明フィルムは、前記内側面の少なくとも一部を被覆する。
【００２１】
透明フィルムは、蓋体の内側面の少なくとも一部を被覆するので、外部からの汚染を防止して食品の安全性を確保することができる。
【００２２】
＜＜第６の実施の態様＞＞
第６の実施の態様は、第１ないし５の実施の態様において、
前記容器本体は、前記蓋体と向かい合う内側面を有し、
前記透明フィルムは、容器本体の内側面の少なくとも一部を被覆する。
【００２３】
透明フィルムは、内側面の少なくとも一部を被覆するので、米などのねばりのある食材などを収納した場合でも、食材を取り易くして円滑に食事を進めることができる。
【００２４】
＜＜第７の実施の態様＞＞
第７の実施の態様は、第１ないし６の実施の態様において、
前記容器本体及び前記蓋体は、植物由来の非木材の流動性原料を型内に流し込み、プレス成形して形成されている。
【００２５】
植物由来の非木材の流動性原料を型内に流し込んで、容器本体及び蓋体を作るので、製造工程を簡素にし、製造コストを安価にすることができる。
【００２６】
＜＜＜＜本実施の形態の詳細＞＞＞＞
以下に、実施の形態について図面に基づいて説明する。
【００２７】
図１は、本実施の形態による食品用容器を示す斜視図である。図２は、本実施の形態による食品用容器を示す斜視図である。図３は、本実施の形態による食品用容器を示す斜視図である。図４は、本実施の形態による食品用容器を開いた状態を示す平面図である。
【００２８】
＜＜方向＞＞
下とは、食品用容器１０の通常の使用状態で、主に容器本体１００が位置する側や方向である。特に、食品用容器１０がテーブルなどの台に設置されたときに、容器本体１００の底部１０２が位置する側や方向である。
【００２９】
上とは、食品用容器１０の通常の使用状態で、主に蓋体２００が位置する側や方向である。特に、食品用容器１０がテーブルなどの台に設置されたときに、蓋体２００の天部２０２が位置する側や方向である。
【００３０】
内とは、食品用容器１０に食品が収納される側や方向である。外とは、内から離れる側や方向である。
【００３１】
＜＜＜食品用容器１０の構成＞＞＞
食品用容器１０は、容器本体１００と蓋体２００とを有する。
【００３２】
＜＜容器本体１００＞＞
容器本体１００は、輪郭が略四角錐台状の形状を有する。四角錐台の上底が、後述する底部１０２に対応し、四角錐台の下底が、後述する開口部１０６に対応する。言い換えれば、容器本体１００は、略角ボウル状や略四角鉢状の形状を有する。
【００３３】
＜底部１０２及び側部１０４＞
容器本体１００は、食品を収納するための本体である。容器本体１００は、底部１０２と４つの側部１０４とを有する。底部１０２は、略長方形状の形状を有する。４つの側部１０４の各々は、略台形状の形状を有する。４つの側部１０４は、底部１０２と接続し、底部１０２から立設され、底部１０２を周回するように形成される。隣り合う側部１０４の間や、底部１０２と側部１０４との間は、滑らかな曲面部によって接続されている。
容器本体１００は、安定して食品を保持することができる。
【００３４】
＜開口部１０６＞
開口部１０６は、側部１０４の周回する端部１０８によって画定される。端部１０８は、側部１０４から折れ曲がって外方向に向かって突出したフランジ状の形状を有する。開口部１０６の外形は、４つの角部が曲線で構成された略長方形状の形状を有する。開口部１０６を介して食品を容器本体１００に収納することができる。
【００３５】
なお、容器本体１００に収納できる食品は、米、野菜、肉、魚などの固形物のほか、とろみを有する餡やスープなどの液体などの流動物でもよい。
【００３６】
＜内側面１１２及び外側面１１４＞
容器本体１００は、内側面１１２及び外側面１１４を有する。底部１０２及び側部１０４の内側の面によって、内側面１１２が構成される。底部１０２及び側部１０４の外側の面によって、外側面１１４が構成される。
【００３７】
内側面１１２は、収納された食品と向かい合う面である。内側面１１２は、後述するように、フィルム４００によって少なくとも一部が覆われてもよい。また、内側面１１２の全体をフィルム４００によって覆ってもよい。
【００３８】
内側面１１２のうち、フィルム４００によって覆われていない部分では、収納された食品は、内側面１１２と直接に接触する。内側面１１２と収納された食品とが直接に接触することで、食品を安定的に保持することができる。
【００３９】
内側面１１２のうち、フィルム４００によって覆われた部分では、収納された食品は、フィルム４００と直接に接触する。フィルム４００との接触により、米などのねばりのある食材などを収納した場合でも、食材を取り易くして円滑に食事を進めることができる。また、フィルム４００で覆うことで、食品に含まれる水分などが容器本体１００に浸み込むのを防止するほか、保温性を高めることもできる。フィルム４００については後述する。
【００４０】
外側面１１４は、使用者の手やテーブルなどの台などと触れる面である。外側面１１４は、フィルム４００によって覆われない。なお、外側面１１４の少なくとも一部をフィルム４００によって覆ってもよい。フィルム４００によって、外部からの水分などの浸入を防止することができる。
【００４１】
本実施の形態では、容器本体１００は、略角ボウル状や略四角鉢状の形状を有するが、他の形状でもよい。例えば、容器本体１００の輪郭は、略丸ボウル状や略丸鉢状の形状でも、他の錐台状や略柱状の形状でもよい。
【００４２】
＜＜蓋体２００＞＞
蓋体２００は、容器本体１００と重なって、容器本体１００の開口部１０６を閉じる。言い換えれば、蓋体２００は、開口部１０６に被蓋される。
【００４３】
蓋体２００も、輪郭が略四角錐台状の形状を有する。四角錐台の上底が、後述する天部２０２に対応し、四角錐台の下底が、後述する開口部２０６に対応する。蓋体２００は、略角ボウル状や略四角鉢状の形状を有する。なお、本実施の形態では、蓋体２００の高さは、容器本体１００の深さよりも小さい。食品用容器１０の設置時の安定性を確保できれば、蓋体２００の高さは、容器本体１００の深さよりも大きくてもよい。
【００４４】
＜天部２０２及び側部２０４＞
蓋体２００は、容器本体１００の開口部１０６を閉じるための部材である。蓋体２００は、天部２０２と４つの側部２０４とを有する。天部２０２は、略長方形状の形状を有する。４つの側部２０４の各々は、略台形状の形状を有する。４つの側部２０４は、天部２０２と接続し、天部２０２から立設され、天部２０２を周回するように形成される。隣り合う側部２０４の間や、天部２０２と側部２０４との間は、滑らかな曲面部によって接続されている。
【００４５】
＜開口部２０６＞
開口部２０６は、側部２０４の周回する端部２０８によって形成される。端部２０８は、側部２０４から折れ曲がって外方向に向かって突出したフランジ状の形状を有する。開口部２０６の外形は、４つの角部が曲線で構成された略長方形状の形状を有する。蓋体２００を閉じたときには、蓋体２００の開口部２０６は、容器本体１００の開口部１０６と向かい合う。蓋体２００を閉じたときには、蓋体２００のフランジ状の端部２０８は、容器本体１００のフランジ状の端部１０８と当接する。なお、端部２０８及び端部１０８は、フランジを有さず、容器本体１００が蓋体２００に嵌合したり、蓋体２００が容器本体１００に嵌合したりするようにしてもよい。
【００４６】
＜内側面２１２及び外側面２１４＞
蓋体２００は、内側面２１２及び外側面２１４を有する。天部２０２及び側部２０４の内側の面によって、内側面２１２が構成される。天部２０２及び側部２０４の外側の面によって、外側面２１４が構成される。
【００４７】
内側面２１２は、蓋体２００が閉じられたときに、容器本体１００と向かい合う面である。内側面２１２は、フィルム４００によって少なくとも一部が覆われてもよい。
【００４８】
外側面２１４は、使用者の手やテーブルなどの台などと触れる面である。外側面２１４は、フィルム４００によって覆われない。なお、外側面２１４の少なくとも一部をフィルム４００によって覆ってもよい。フィルム４００によって、外部からの水分などの浸入を防止することができる。
【００４９】
＜貫通孔２２０＞
蓋体２００は、貫通孔２２０を有する。貫通孔２２０は、蓋体２００の天部２０２の中央に形成されている。貫通孔２２０は、略長方形状の形状を有する。貫通孔２２０を設けたことで、容器本体１００に収納された食品の内容や状態や量などを容易に視認することができる。
【００５０】
貫通孔２２０の全体は、フィルム４００によって覆われる。貫通孔２２０の外周領域は、フィルム４００によって封止される。封止することにより、貫通孔２２０を介して外部から水分や異物などの浸入を防止することができる。
【００５１】
後述するように、フィルム４００は、透明が好ましい。貫通孔２２０の全体を透明なフィルム４００で覆うことにより、貫通孔２２０による内部の視認性を維持しつつ、外部からの汚染を防止して食品の安全性も確保することができる。
【００５２】
本実施の形態では、貫通孔２２０は、略長方形状の形状を有するが、他の形状でもよい。貫通孔２２０は、円状でも楕円状でも長円状でもよい。また、三角形や台形やひし形などの多角形でもよい。また、貫通孔２２０の数は、単一の場合だけでなく、複数でもよい。貫通孔２２０が複数である場合には、全ての貫通孔２２０をフィルム４００によって覆うようにすることができる。貫通孔２２０の位置は、蓋体２００の中央だけでなく、偏倚した位置にしてもよい。貫通孔２２０の形状、位置、大きさ、数は、収納する食品の種類などに応じて適宜に定めることができる。
【００５３】
本実施の形態では、蓋体２００は、略角ボウル状や略四角鉢状の形状を有するが、他の形状でもよい。例えば、蓋体２００の輪郭は、略丸ボウル状や略丸鉢状の形状でも、他の錐台状や略柱状の形状でもよい。
【００５４】
＜＜ヒンジ３００＞＞
食品用容器１０は、容器本体１００と蓋体２００との間にヒンジ３００を有する。ヒンジ３００は、長尺な溝状の形状を有する。ヒンジ３００は、折れ目を構成し、ヒンジ３００で折り曲げることで、蓋体２００を容器本体１００に近づけることができる。
【００５５】
本実施の形態では、容器本体１００の一つの辺と蓋体２００の一つの辺との間に、ヒンジ３００を設ける例を示したが、容器本体１００の一つの角（隅部）と蓋体２００の一つの角（隅部）との間に設けてもよい。ヒンジ３００を小さくすることができ、蓋体２００を折り曲げ易くできる。蓋体２００が容器本体１００と連結されていればよく、ヒンジ３００の場所や大きさは、限定されない。また、ヒンジ３００は、連続した溝状ではなく、ミシン目などの貫通孔を有してもよい。貫通孔によって折れ曲げ易さを調節することができる。
【００５６】
＜＜フィルム４００＞＞
フィルム４００は、空気や液体などを浸透させず、可撓性を有するものが好ましい。フィルム４００は、透光性を有するものが好ましい。透光性を有するので、貫通孔２２０の全体をフィルム４００で覆った構成としても、容器本体１００に収納された食品の内容や状態や量などを容易に視認することができる。
【００５７】
フィルム４００の厚さは、所望するものにできる。可撓性を有し透光性を有し、加工し易く取り扱い易いものであればよい。
【００５８】
フィルム４００は、特に透明なものが好ましい。透明とは、内容を視認できる程度の透過性をいう。フィルム４００は、目視によって、容器本体１００に収容された食品の内容や量などを視認できるものが好ましい。
【００５９】
フィルム４００は、少なくとも蓋体２００の内側面２１２に設けられる。蓋体２００の内側面２１２の全体にフィルム４００を設けても、貫通孔２２０を含む領域のみにフィルム４００を設けてもよい。また、容器本体１００の内側面１１２に設けてもよい。
【００６０】
フィルム４００は、積層加工により、内側面２１２や内側面１１２に形成することができる。具体的には、フィルム４００は、ラミネート加工により、内側面２１２や内側面１１２に形成することができる。なお、積層加工は、ラミネート加工だけでなく、フィルム４００を内側面２１２や内側面１１２に密着させて積層できる処理であればよい。フィルム４００が内側面２１２や内側面１１２から剥がれにくい処理であればよい。
【００６１】
なお、図４に示すフィルム４００は、貫通孔２２０よりも若干大きく、貫通孔２２０の全体を覆う程度の大きさを有する。前述したように、フィルム４００は、内側面２１２や内側面１１２の全体に設けることができる。
【００６２】
＜＜係合片２３０及び係合孔１３０＞＞
蓋体２００は、係合片２３０を有する。係合片２３０は、ヒンジ３００から離隔する方向に向かって突出する突出片である。容器本体１００は、係合孔１３０を有する。係合孔１３０は、ヒンジ３００から最も離れた開口部１０６に形成されている。係合孔１３０は、スリット状の形状を有する。係合孔１３０に係合片２３０が挿入されることで、蓋体２００を容器本体１００に対して閉じた状態に維持することができる。
【００６３】
本実施の形態は、係合片２３０及び係合孔１３０によって、蓋体２００を容器本体１００に係止する例を示したが、他の係止部材によって係止させてもよい。
【００６４】
＜＜＜食品用容器１０の材料・材質など＞＞＞
食品用容器１０は、植物繊維で構成される。具体的には、食品用容器１０は、植物由来の非木材紙によって形成される。例えば、食品用容器１０は、バガス、ケナフ、アシ、竹、麻などの素材などの非木材によって構成される。非木材とは、一般に、サトウキビバガス、オイルパーム空果房、タケ、アシ（ヨシ）などの繊維利用植物及びそれが含有する植物繊維の総称である。本実施の形態では、食品に適したものであればよい。
【００６５】
＜＜フィルムの材料・材質など＞＞
フィルム４００は、生分解性フィルムで構成される。具体的には、フィルム４００は、ポリ乳酸で構成される。フィルム４００は、特に、融点が高い耐熱性を有するポリ乳酸フィルムが好ましい。高い融点にすることで、ラミネート加工など積層加工を容易かつ安定的にすることができる。
【００６６】
＜＜＜＜変形例＞＞＞＞
ヒンジ３００を介して蓋体２００を容器本体１００に対して折り曲げ可能に構成した例を示した。すなわち、容器本体１００及び蓋体２００は、ヒンジ３００によって連結されて一体に構成されている。これに対して、容器本体１００及び蓋体２００を別体に構成してもよい。蓋体２００を容器本体１００から離脱させることができ、取り扱いを簡便にすることができる。
【００６７】
＜＜＜＜実施の形態の範囲＞＞＞＞
上述したように、本実施の形態を記載したが、この開示の一部をなす記載及び図面は、限定するものと理解すべきでない。ここで記載していない様々な実施の形態等が含まれる。
【符号の説明】
【００６８】
１０  食品用容器
１００  容器本体
２００  蓋体
３００  ヒンジ
４００  フィルム
【図１】
0003232863.tif 000003
【図２】
0003232863.tif 000004
【図３】
0003232863.tif 000005
【図４】
0003232863.tif 000006
【手続補正書】
【提出日】令和3年5月6日(2021.5.6)
【手続補正１】
【補正対象書類名】実用新案登録請求の範囲
【補正対象項目名】全文
【補正方法】変更
【補正の内容】
【実用新案登録請求の範囲】
【請求項１】
上面が開口した開口部を有し、植物由来の非木材紙によって形成された容器本体と、
前記容器本体の開口部に被蓋される蓋体であって、植物由来の非木材紙によって形成され、貫通孔と、前記貫通孔を覆う透明フィルムと、を有する蓋体と、を備える食品用容器。
【請求項２】
前記容器本体と前記蓋体とを一体に接続するヒンジ部を、更に備える、請求項１に記載の食品用容器。
【請求項３】
前記蓋体は、前記容器本体と別体に形成され、前記容器本体から離脱可能である、請求項１に記載の食品用容器。
【請求項４】
前記透明フィルムは、ポリ乳酸系フィルムからなる、請求項１ないし３に記載の食品用容器。
【請求項５】
前記蓋体は、前記容器本体と向かい合う蓋体内側面を有し、
前記透明フィルムは、前記蓋体内側面の少なくとも一部を被覆する、請求項１ないし４に記載の食品用容器。
【請求項６】
前記容器本体は、前記蓋体と向かい合う本体内側面を有し、
前記本体内側面の少なくとも一部を被覆する透明フィルムであって、前記貫通孔を覆う透明フィルムと一体又は別体に形成された透明フィルムを備える、請求項１ないし５に記載の食品用容器。
【請求項７】
前記容器本体及び前記蓋体は、植物由来の非木材の流動性原料を型内に流し込み、プレス成形して形成された、請求項１ないし６に記載の食品用容器。
【手続補正２】
【補正対象書類名】明細書
【補正対象項目名】００２０
【補正方法】変更
【補正の内容】
【００２０】
＜＜第５の実施の態様＞＞
第５の実施の態様は、第１ないし４の実施の態様において、
前記蓋体は、前記容器本体と向かい合う蓋体内側面を有し、
前記透明フィルムは、前記蓋体内側面の少なくとも一部を被覆する。
【手続補正３】
【補正対象書類名】明細書
【補正対象項目名】００２２
【補正方法】変更
【補正の内容】
【００２２】
＜＜第６の実施の態様＞＞
第６の実施の態様は、第１ないし５の実施の態様において、
前記容器本体は、前記蓋体と向かい合う本体内側面を有し、
前記本体内側面の少なくとも一部を被覆する透明フィルムであって、前記貫通孔を覆う透明フィルムと一体又は別体に形成された透明フィルムを備える。